(57)【要約】【課題】複数の記録媒体にそれぞれ記録された画像データを容易に認識することができるようにする。【解決手段】  写真処理装置では、スキャナ装置によって取り込まれた複数の画像データに基づいて、プリントプロセッサにおいてプリント処理が行われると共に、ＣＤ−Ｒ書き込み装置において複数の画像データが２以上の組に振り分けられて、複数のＣＤ−Ｒにそれぞれ書き込まれる。そして、各ＣＤ−Ｒのレーベル面には、互いに異なる数字を含む識別画像が印刷されると共に、それに記録された複数の画像データのなかから選択された画像データに対応したインデックス画像が印刷される。【選択図】  図７     
2005327416.tif 000002
【特許請求の範囲】
【請求項１】
複数の画像データを、１つの記録媒体に記録可能な１又は複数の画像データをそれぞれ含む２以上の組に振り分けるための振り分け基準を記憶する振り分け基準記憶手段と、
前記振り分け基準記憶手段に記憶された振り分け基準に基づいて、前記複数の画像データを、１又は複数の画像データをそれぞれ含む２以上の組に振り分ける振り分け手段と、
前記複数の画像データを、各記録媒体に１つの組に属する１又は複数の画像データだけが記録されるように複数の記録媒体に記録するデータ記録手段と、
前記複数の記録媒体のそれぞれを識別するための互いに異なる識別画像を各記録媒体上に形成する識別画像形成手段とを備えていることを特徴とする画像記録装置。
【請求項２】
前記識別画像形成手段は、互いに異なる記号を含む識別画像を各記録媒体上に形成することを特徴とする請求項１に記載の画像記録装置。
【請求項３】
前記識別画像形成手段は、互いに異なる背景色を有する識別画像を各記録媒体上に形成することを特徴とする請求項１または２に記載の画像記録装置。
【請求項４】
複数の画像データを、１つの記録媒体に記録可能な１又は複数の画像データをそれぞれ含む２以上の組に振り分けるための第１の振り分け基準を記憶する第１の振り分け基準記憶手段と、
前記第１の振り分け基準記憶手段に記憶された第１の振り分け基準に基づいて、前記複数の画像データを、１又は複数の画像データをそれぞれ含む２以上の組に振り分ける第１の振り分け手段と、
前記複数の画像データを、各記録媒体に１つの組に属する１又は複数の画像データだけが記録されるように複数の記録媒体に記録するデータ記録手段と、
前記複数の記録媒体のそれぞれを識別するための互いに異なる識別画像を各記録媒体上に形成する第１の識別画像形成手段と、
前記複数の記録媒体の各々に関連した複数の画像データを、所定数以下の画像データをそれぞれ含む２以上の組に振り分けるための第２の振り分け基準を記憶する第２の振り分け基準記憶手段と、
前記第２の振り分け基準記憶手段に記憶された第２の振り分け基準に基づいて、各記録媒体に関連した前記複数の画像データを、前記所定数以下の画像データをそれぞれ含む２以上の組に振り分ける第２の振り分け手段と、
各組に含まれる前記所定数以下の画像データに対応した複数のインデックス画像を、各画像形成媒体上に１つの組に属する画像データに対応したインデックス画像だけが形成されるように複数の画像形成媒体上に形成する第１のインデックス画像形成手段と、
対応する記録媒体に係る識別画像と同じ特徴を有する画像を、各画像形成媒体上に形成する第２の識別画像形成手段と備えていることを特徴とする画像記録装置。
【請求項５】
前記第１の識別画像形成手段は、互いに異なる記号を含む識別画像を各記録媒体上に形成することを特徴とする請求項４に記載の画像記録装置。
【請求項６】
前記第１の識別画像形成手段は、互いに異なる背景色を有する識別画像を各記録媒体上に形成することを特徴とする請求項４または５に記載の画像記録装置。
【請求項７】
前記複数の記録媒体のそれぞれに記録された１又は複数の画像データのなかから少なくとも１つの画像データを選択するための選択基準を記憶する選択基準記憶手段と、
前記選択基準記憶手段に記憶された選択基準に基づいて、各記録媒体に記録された１又は複数の画像データのなかから少なくとも１つの画像データを選択する画像データ選択手段と、
任意の記録媒体について、前記画像データ選択手段によって選択された全ての画像データに対応したインデックス画像を当該記録媒体上に形成する第２のインデックス画像形成手段とをさらに備えていることを特徴とする請求項１〜６のいずれか１項に記載の画像記録装置。
【発明の詳細な説明】
【技術分野】
【０００１】
本発明は、複数の画像データを複数の記録媒体に振り分けて記録する画像記録装置に関する。
【背景技術】
【０００２】
カメラで撮影されたネガフィルムは、顧客によって写真店に預けられて、写真店において現像処理が行われるのが一般的である。写真店では、現像後のネガフィルムに基づいて感光材料に対して露光処理を行い、さらに、露光後の感光材料に現像処理等を施すことによって、画像が形成された感光材料（写真プリント）が顧客に提供される。そして、顧客から預かったネガフィルムは写真プリントと共に返却される。その際には、ネガフィルムの画像に基づいて作成された画像データが記録されたＣＤ−Ｒ等の記録媒体及びそれらの画像に対応したインデックス画像が形成されたインデックスプリントがあわせて提供される。
【０００３】
ここで、顧客が記録媒体に記録された画像データの内容を容易に認識することができるように、記録媒体のレーベル面（表面）には画像データに対応したインデックス画像が印刷されることが多い（例えば、特許文献１参照）。
【特許文献１】特開１１−８６５０５号公報（図１）
【発明の開示】
【発明が解決しようとする課題】
【０００４】
複数の画像データの現像処理等が行われる場合には、複数の画像データの全てを１枚のＣＤ−Ｒに記録することができない場合がある。このような場合には、複数の画像データは、複数枚のＣＤ−Ｒに振り分けられて記録される。このとき、複数枚のＣＤ−Ｒのレーベル面には、いずれも同じインデックス画像が印刷される。従って、複数枚のＣＤ−Ｒが提供された顧客が、これら複数枚のＣＤ−Ｒのレーベル面に基づいて、複数枚のＣＤ−Ｒを外観上識別することはできない。そのため、顧客は、複数枚のＣＤ−Ｒがそれぞれ何枚目のＣＤ−Ｒであるのかを認識することができず、所望の画像データが記録されたＣＤ−Ｒを特定することができないという問題がある。
【０００５】
そこで、本発明の目的は、複数の画像データが複数の記録媒体に振り分けられて記録された場合に、各記録媒体に記録された画像データを容易に認識することができる画像記録装置を提供することである。
【課題を解決するための手段および発明の効果】
【０００６】
本発明の画像記録装置は、複数の画像データを、１つの記録媒体に記録可能な１又は複数の画像データをそれぞれ含む２以上の組に振り分けるための振り分け基準を記憶する振り分け基準記憶手段と、前記振り分け基準記憶手段に記憶された振り分け基準に基づいて、前記複数の画像データを、１又は複数の画像データをそれぞれ含む２以上の組に振り分ける振り分け手段と、前記複数の画像データを、各記録媒体に１つの組に属する１又は複数の画像データだけが記録されるように複数の記録媒体に記録するデータ記録手段と、前記複数の記録媒体のそれぞれを識別するための互いに異なる識別画像を各記録媒体上に形成する識別画像形成手段とを備えている
【０００７】
この構成によると、複数の画像データが２以上の組に振り分けられて各記録媒体に１つの組に属する画像データだけが記録されると共に、各記録媒体上には互いに異なる識別画像が形成される。従って、複数の記録媒体のそれぞれを識別することができるので、各記録媒体に記録された画像データを比較的容易に認識することができる。
【０００８】
本発明の画像記録装置において、前記識別画像形成手段は、互いに異なる記号を含む識別画像を各記録媒体上に形成してもよい。
【０００９】
この構成によると、各記録媒体上に形成される識別画像は互いに異なる記号を含んでいるので、各記録媒体に記録された画像データを容易に認識することができる。
【００１０】
本発明の画像記録装置において、前記識別画像形成手段は、互いに異なる背景色を有する識別画像を各記録媒体上に形成してもよい。
【００１１】
この構成によると、各記録媒体上に形成される識別画像は互いに異なる背景色を有しているので、各記録媒体に記録された画像データを容易に認識することができる。なお、例えば記録媒体上において識別画像を形成可能なスペースが小さくて、記録媒体上に記号を含む識別画像を形成することができない場合に、特に有効である。
【００１２】
本発明の画像記録装置は、複数の画像データを、１つの記録媒体に記録可能な１又は複数の画像データをそれぞれ含む２以上の組に振り分けるための第１の振り分け基準を記憶する第１の振り分け基準記憶手段と、前記第１の振り分け基準記憶手段に記憶された第１の振り分け基準に基づいて、前記複数の画像データを、１又は複数の画像データをそれぞれ含む２以上の組に振り分ける第１の振り分け手段と、前記複数の画像データを、各記録媒体に１つの組に属する１又は複数の画像データだけが記録されるように複数の記録媒体に記録するデータ記録手段と、前記複数の記録媒体のそれぞれを識別するための互いに異なる識別画像を各記録媒体上に形成する第１の識別画像形成手段と、前記複数の記録媒体の各々に関連した複数の画像データを、所定数以下の画像データをそれぞれ含む２以上の組に振り分けるための第２の振り分け基準を記憶する第２の振り分け基準記憶手段と、前記第２の振り分け基準記憶手段に記憶された第２の振り分け基準に基づいて、各記録媒体に関連した前記複数の画像データを、前記所定数以下の画像データをそれぞれ含む２以上の組に振り分ける第２の振り分け手段と、各組に含まれる前記所定数以下の画像データに対応した複数のインデックス画像を、各画像形成媒体上に１つの組に属する画像データに対応したインデックス画像だけが形成されるように複数の画像形成媒体上に形成する第１のインデックス画像形成手段と、対応する記録媒体に係る識別画像と同じ特徴を有する画像を、各画像形成媒体上に形成する第２の識別画像形成手段と備えている。
【００１３】
この構成によると、複数の画像データが２以上の組に振り分けられて各記録媒体に１つの組に属する画像データだけが記録されると共に、各記録媒体上には互いに異なる識別画像が形成される。さらに、各記録媒体に関連した複数の画像データが２以上の組に振り分けられて各画像形成媒体に１つの組に属する画像データに対応したインデックス画像だけが形成されると共に、各画像形成媒体上には対応する記録媒体に係る識別画像と同じ特徴を有する画像が形成される。従って、複数の記録媒体のそれぞれを識別することができると共に、各記録媒体に記録された画像データに対応したインデックス画像が形成された複数の画像形成媒体のそれぞれを識別することができるので、各記録媒体に記録された画像データを比較的容易に認識することができる。
【００１４】
本発明の画像記録装置において、前記第１の識別画像形成手段は、互いに異なる記号を含む識別画像を各記録媒体上に形成してもよい。
【００１５】
この構成によると、各記録媒体上に形成される識別画像は互いに異なる記号を含んでいるので、各記録媒体に記録された画像データを容易に認識することができる。
【００１６】
本発明の画像記録装置において、前記第１の識別画像形成手段は、互いに異なる背景色を有する識別画像を各記録媒体上に形成してもよい。
【００１７】
この構成によると、各記録媒体上に形成される識別画像は互いに異なる背景色を有しているので、各記録媒体に記録された画像データを容易に認識することができる。なお、例えば記録媒体上において識別画像を形成可能なスペースが小さくて、記録媒体上に記号を含む識別画像を形成することができない場合に、特に有効である。
【００１８】
本発明の画像記録装置において、前記複数の記録媒体のそれぞれに記録された１又は複数の画像データのなかから少なくとも１つの画像データを選択するための選択基準を記憶する選択基準記憶手段と、前記選択基準記憶手段に記憶された選択基準に基づいて、各記録媒体に記録された１又は複数の画像データのなかから少なくとも１つの画像データを選択する画像データ選択手段と、任意の記録媒体について、前記画像データ選択手段によって選択された全ての画像データに対応したインデックス画像を当該記録媒体上に形成する第２のインデックス画像形成手段とをさらに備えていてもよい。
【００１９】
この構成によると、複数の記録媒体上には、各記録媒体に記録された複数の画像データのなかから選択された画像データに対応したインデックス画像がそれぞれ形成される。従って、各記録媒体に記録された画像データをさらに容易に認識することができる。
【００２０】
なお、記録媒体としては、例えばＣＤ−Ｒ、ＤＶＤ、フロッピー(登録商標）ディスクなど、画像データを記録可能なものであればどのようなものであってもよい。また、画像形成媒体としては、例えば写真処理装置（プリンタプロセッサ）において画像が形成される写真感光媒体（印画紙）、インクジェットプリンタにおいて画像が形成される用紙（ペーパー）など、画像を形成可能なものであればどのようなものであってもよい。
【発明を実施するための最良の形態】
【００２１】
以下、本発明の好適な実施の形態について、図面を参照しつつ説明する。図１は、本発明の第１の実施の形態に係る写真処理装置の外観を示す斜視図であり、図２は、そのうちのＣＤ−Ｒ書き込み装置の構成を示す斜視図である。
【００２２】
＜写真処理装置の構成＞
図１に示す写真処理装置は、プリンタプロセッサ１と、ＣＤ−Ｒ書き込み装置２とを備えている。プリンタプロセッサ１には、プリント装置３とプロセッサ装置４とが設けられており、プリント装置側の上部には、モニタ５とスキャナ装置６とが設けられている。スキャナ装置６には、ネガキャリア７が着脱自在に構成されており、ネガキャリア７に挿入されたネガフィルムのコマ画像を読み取ることができる。モニタ５は、スキャナ装置６により読み取られたコマ画像を映し出すことができる。
【００２３】
モニタ５やスキャナ装置６の手前側には、操作テーブル８が設けられている。操作テーブル８には、各種のデータの入力やプリンタプロセッサ１に対する指示入力を行うためのキーボード９やマウス１０が設けられている。操作テーブル８の下方には、各種の記録媒体からの画像データの入力を行うためのドライブ装置１１が設けられている。従って、ドライブ装置１１は、例えばフロッピー（登録商標）ディスク、ＭＯディスク及びデジタルカメラ用記録媒体からの画像データの入力を可能にしている。
【００２４】
プロセッサ装置４は、公知の現像処理部と乾燥処理部とを備えている。所定の処理が施されたペーパーは、プリント排出部１２から仕上がり写真プリントＰとして装置外部に排出される。プリント排出部１２から排出された写真プリントＰは、横送りコンベア１３によりソータ１４に向けて移送される。ソータ１４は、多数のトレイ１４ａが循環駆動されるように構成されており、トレイ１４ａの搭載面の上に、横送りコンベア１３により送り込まれた写真プリントＰが搭載される。
【００２５】
図１において、プリンタプロセッサ１とＣＤ−Ｒ書き込み装置２とは別体の装置であり、両者を通信ケーブル（図示しない）により接続している。従って、プリンタプロセッサ１とＣＤ−Ｒ書き込み装置２とは連動させて作動させることができる。なお、上記のような別体装置ではなく、ＣＤ−Ｒ書き込み装置２の機能をプリンタプロセッサ１の中に組み込み、一体化した装置により写真処理装置を構成しても良い。
【００２６】
＜ＣＤ−Ｒ書き込み装置の構成＞
次に、ＣＤ−Ｒ書き込み装置２の詳細な構成を図２を参照して説明する。この装置は、記録媒体であるＣＤ−Ｒに画像データの書き込みを行うための装置である。この装置は、ＣＤ−Ｒ移送装置２０と、印刷部２１と、書き込み部２２と、集積部２３とを備えている。
【００２７】
ＣＤ−Ｒ移送装置２０は、ＣＤ−Ｒをつかんで移送するＣＤ−Ｒピッカー２４と、ＣＤ−Ｒピッカー２４を上下方向にガイドするガイド部２５とを備えている。ＣＤ−Ｒピッカー２４は、ＣＤ−Ｒの中央の孔を利用してＣＤ−Ｒをつかむための爪部材（図示しない）を有している。この爪部材を駆動することにより、ＣＤ−Ｒをつかんだり、つかんでいるＣＤ−Ｒを離したりすることができる。爪部材は、例えば円周方向に沿って等間隔に配置された３箇所の爪レバーにより構成し、各爪レバーを半径方向に沿って移動可能に構成すればよい。
【００２８】
さらに、ＣＤ−Ｒピッカー２４は、図２に示すように１８０゜回転することができる。これにより、処理済みのＣＤ−Ｒをつかんで、指定されたトレイの上に搭載することができる。
【００２９】
集積部２３は、矢印方向に移動可能なトレイ２６が設けられており、データが何も書き込まれていない生のＣＤ−Ｒが多数集積されている。書き込み部２２にも、矢印方向に移動可能なトレイ２７が設けられており、ＣＤ−Ｒへの画像データの書き込みが行われる。なお、画像データの書き込みは所定のファイル形式で行われる。ファイル形式には、例えばＪＰＥＧ、ビットマップ、ＧＩＦＦがあるが、特定のファイル形式に限定されるものではない。
【００３０】
印刷部２１にも、矢印方向に移動可能なトレイ２８が設けられており、書き込み処理の終了したＣＤ−Ｒのレーベル面にインデックス画像の印刷を行う。インデックス画像とは、書き込みが行われた画像データに対応したサムネイル画像のことである。このインデックス画像を見ることにより、どのような画像データが書き込まれているかを直ちに認識することができる。
【００３１】
＜プリンタプロセッサの内部構成＞
次に、プリンタプロセッサ１の内部の概略構成について、図３を参照して説明する。図３は、プリンタプロセッサの内部構成を模式的に示す図である。プリント装置３は、写真感光材料であるペーパーがロール状に収容されたペーパーマガジン３０が着脱自在に取り付けられる。ペーパーマガジン３０から引き出された長尺状のペーパーは、ペーパーカッタ３１によりプリントサイズ（仕上がり写真プリントのサイズ）に切断される。
【００３２】
ペーパーカッタ３１の下流側には、露光エンジン３２が配置されている。露光エンジン３２は、デジタル式の露光装置であり、スキャナ装置６により読み取られた画像データに基づいてペーパーに画像を焼付露光する。露光エンジン３２としては、適宜の方式のものを採用することができ、例えばレーザーエンジン、ＣＲＴエンジン、ＰＬＺＴエンジン等を採用することができる。
【００３３】
プロセッサ装置４は、現像処理部３４と乾燥処理部３５とを備えている。露光エンジン３２により画像が焼付露光されたペーパーは、このプロセッサ装置４で公知の処理が施される。乾燥処理部３５を通過したペーパーは、既に述べたように、プリント排出部１２から排出される。
【００３４】
スキャナ装置６は、ネガキャリア７に装填されているネガフィルムに記録されたコマ画像を読み取る。そのために、読み取り用の光源３６と、ＣＣＤセンサ３７とが設けられている。ＣＣＤセンサ３７は、ラインセンサ、エリアセンサのいずれでも良い。なお、スキャナ装置６の構成としても、その他の種々の構成例を採用することができる。
【００３５】
＜ブロック構成図＞
次に、写真処理装置の制御ブロックの構成について、図４を参照して説明する。図４は、写真処理装置の主要な制御ブロックを示す図である。
【００３６】
制御装置４０は、写真処理装置の各部の動作の制御を行う。制御装置４０は、ＣＰＵ、メモリ、ハードディスク、インターフェイス等のハードウェアと、制御プログラム等のソフトウェアにより構成される。制御装置４０は、振り分けモード記憶部４１と、振り分けモード抽出部４２と、インデックスプリント設定部４３と、選択基準記憶部４４と、第１識別画像設定部４５と、第２識別画像設定部４６と、画像データ記憶部４７と、画像情報記憶部４８と、画像データ振り分け部４９と、画像データ選択部５０と、プリント画像振り分け部５１と、画像作成部５２とを有している。また、制御装置４０には、スキャナ装置６、露光エンジン３２、ＣＤ−Ｒ書き込み装置２、モニタ５、キーボード９及びマウス１０がそれぞれ接続されている。
【００３７】
振り分けモード記憶部４１は、各振り分けモードにおいて、複数の画像データを、各ＣＤ−Ｒに記録可能な１又は複数の画像データをそれぞれ含む２以上の組に振り分けるための振り分け基準を記憶する。なお、後述するように、各振り分けモードにおいて２以上の組に振り分けられた画像データは、１つの組に属する画像データだけが記録されるように各ＣＤ−Ｒに記録される。本実施の形態の写真処理装置では、振り分けモード記憶部４１は、振り分けモード（ａ）〜（ｄ）の４つのモードを記憶している。
【００３８】
ここで、４つの振り分けモード（ａ）〜（ｄ）における画像データの振り分け基準について説明する。振り分けモード（ａ）では、複数の画像データをオーダー毎に振り分けるという内容の振り分け基準に基づいて、画像データが振り分けられる。
【００３９】
振り分けモード（ｂ）では、複数の画像データを作成日毎に振り分けるという内容の振り分け基準に基づいて、画像データが振り分けられる。
【００４０】
振り分けモード（ｃ）では、１枚のＣＤ−Ｒに記録可能な画像データを可能な限り記録し、そのＣＤ−Ｒに記録できなくなった場合に、記録できなかった画像データ以後の画像データを次のＣＤ−Ｒに振り分けるという内容の振り分け基準に基づいて、画像データが振り分けられる。
【００４１】
振り分けモード（ｄ）では、複数の画像データを各ＣＤ−Ｒに所定数の画像データが記録されるように振り分けるという内容の振り分け基準に基づいて、画像データが振り分けられる。
【００４２】
振り分けモード抽出部４２は、振り分けモード記憶部４１に記憶された４つの振り分けモード（ａ）〜（ｄ）のなかの１つを抽出する。ここで、本実施の形態では、振り分けモード抽出部４２は、オペレータ（顧客を含む）によってキーボード９またはマウス１０が操作されることによって入力される命令にしたがって１つの振り分けモードを抽出するようになっている。従って、オペレータは、振り分けモード（ａ）〜（ｄ）のいずれかを抽出することによって、複数の画像データを各ＣＤ−Ｒに記録するために２以上の組に振り分ける際の振り分け基準を選択することができる。
【００４３】
インデックスプリント設定部４３は、各ＣＤ−Ｒに記録された複数の画像データを、所定数以下の画像データをそれぞれ含む２以上の組に振り分けるための振り分け基準を記憶する。なお、後述するように、所定数以下の画像データをそれぞれ含む２以上の組に振り分けられた画像データは、１つの組に属する画像データに対応したインデックス画像だけが形成されるように各インデックスプリントが作成される。本実施の形態の写真処理装置では、インデックスプリント設定部４３は、１つのインデックスプリントには最大２０個のインデックス画像が形成可能であることから、ファイル番号の小さいものから２０個毎に振り分けるという内容の振り分け基準を記憶している。
【００４４】
選択基準記憶部４４は、各ＣＤ−Ｒに記録された２以上の画像データのなかから、ＣＤ−Ｒのレーベル面に印刷されるインデックス画像に対応した画像データを選択するための選択基準を記憶する。本実施の形態の写真処理装置では、選択基準記憶部４４は、複数の画像データが各ＣＤ−Ｒに記録される場合に、各ＣＤ−Ｒ毎に最初の１０個の画像データ（ファイル番号が最も小さい方から１０個の画像データ）を選択するという内容の選択基準を記憶している。なお、ＣＤ−Ｒに記録される画像データが１０個以下の場合には、それらの画像データの全てが選択される。
【００４５】
第１識別画像設定部４５には、２以上の組に振り分けられた画像データに対応したインデックス画像が各組毎に形成された複数のインデックスプリントが作成される場合に、それらの複数のインデックスプリントに形成される画像の種類が設定されている。本実施の形態の写真処理装置では、第１識別画像設定部４５には、互いに異なる数字（例えば、１から順に大きくなる整数）を含む画像が設定されている。
【００４６】
第２識別画像設定部４６には、２以上の組に振り分けられた画像データが各組毎に複数のＣＤ−Ｒに記録される場合に、それらの複数のＣＤ−Ｒのそれぞれを識別するための識別画像の種類が設定されている。本実施の形態の写真処理装置では、第２識別画像設定部４６には、互いに異なる数字（例えば、１から順に大きくなる整数）を含む画像が設定されている。
【００４７】
画像データ記憶部４７は、スキャナ装置６から取り込まれた複数の画像データを記憶する。ここで、画像データ記憶部４７では、複数のオーダーに係る画像データが取り込まれた場合には、それらをオーダー毎に区別して記憶することができる。なお、画像データ記憶部４７では、スキャナ装置６から取り込まれた複数の画像データには、互いに異なる数字のファイル番号が割り当てられる。このファイル番号は、スキャナ装置６から取り込まれる順序にしたがって大きくなる。
【００４８】
画像情報記憶部４８は、画像データ記憶部４７に記憶された画像データに関する情報を画像データ毎に記憶する。ここで、画像情報記憶部４８は、作成日記憶部４８ａを有しており、画像データの作成日（例えばカメラによって得られた画像データの場合は、その画像データの撮影日）を記憶している。
【００４９】
なお、画像データがデジタルカメラで撮影されて記録媒体に記録されたものである場合には、画像データの作成日の情報としては、ＤＰＯＦ(Digital Print Order Format)情報またはＥｘｉｆ(Exchangeableimagefile Format)情報に含まれる日付情報や、ファイル作成日時が利用される。また、画像データがネガフィルムに記録されたものである場合には、画像データの作成日の情報としては、ネガフィルムの磁気情報のなかの撮影日付が利用される。
【００５０】
画像データ振り分け部４９は、振り分けモード抽出部４２によって抽出された振り分けモードにおける振り分け基準に基づいて、複数の画像データを、２以上の組に振り分ける。
【００５１】
ここで、図５に示すように、１２０個の画像データが２以上の組に振り分けられる場合の各振り分けモード（ａ）〜（ｄ）における画像データの振り分けについて説明する。図５には、複数の画像データ毎に、オーダー名、ファイル番号及び作成日の一覧が示されている。オーダーＡには８０個の画像データが含まれており、オーダーＢには４０個の画像データが含まれている。ここで、オーダーとは、写真処理装置において１つのまとまりとして取り扱われる画像データの範囲のことで、ここでは、オーダーＡは４０コマの画像を記録可能な２個のＡＰＳフィルムに対応しており、オーダーＢは４０コマの画像を記録可能な１個のＡＰＳフィルムに対応している。
【００５２】
振り分けモード（ａ）では、複数の画像データがオーダー毎に振り分けられるので、１２０個の画像データは、オーダーＡに係るファイル番号００１〜０８０の８０個の画像データと、オーダーＢに係るファイル番号０８１〜１２０の４０個の画像データとの２組に振り分けられる。
【００５３】
振り分けモード（ｂ）では、複数の画像データが作成日毎に振り分けられるので、１２０個の画像データは、２００４年２月１日に作成されたファイル番号００１〜０４０の４０個の画像データと、２００４年３月１日に作成されたファイル番号０４１〜０８０の４０個の画像データと、２００４年３月１０日に作成されたファイル番号０８１〜１２０の４０個の画像データとの３組に振り分けられる。
【００５４】
振り分けモード（ｃ）では、各ＣＤ−Ｒにファイル番号の小さな画像データから順に記録可能な範囲でより多くの画像データが記録されるので、例えばファイル番号００１〜１２０の画像データの容量がほぼ同じ程度であって、これらの画像データを１００個記録可能なＣＤ−Ｒに画像データが記録される場合には、ファイル番号００１〜１００の１００個の画像データと、ファイル番号１０１〜１２０の２０個の画像データとの２組に振り分けられる。
【００５５】
振り分けモード（ｄ）では、所定数毎に画像データが振り分けられるので、例えば所定数が４０個に設定されている場合には、ファイル番号００１〜０４０の４０個の画像データと、ファイル番号０４１〜０８０の４０個の画像データと、ファイル番号０８１〜１２０の４０個の画像データとの３組に振り分けられる。
【００５６】
画像データ選択部５０は、選択基準記憶部４４に記憶された選択基準に基づいて、各ＣＤ−Ｒに記録される複数の画像データのなかから各ＣＤ−Ｒのレーベル面に印刷されるインデックス画像に対応した画像データを選択する。
【００５７】
プリント画像振り分け部５１は、各ＣＤ−Ｒに記録された複数の画像データを、インデックスプリント設定部４３に設定された所定数毎に２以上の組に振り分ける。
【００５８】
画像作成部５２は、画像データ記憶部４７に記憶された画像データに基づいて、画像データ選択部５０により選択された画像データに対応したインデックス画像を作成すると共に、第１識別画像設定部４５及び第２識別画像設定部４６に設定された種類の識別画像を作成する。
【００５９】
＜動作説明＞
次に、写真処理装置においてプリント処理が行われる場合の手順について、図６〜図８を参照して説明する。図６は、写真処理装置におけるプリント処理の手順を示すフローチャートである。
【００６０】
まず、オペレータのキーボード９またはマウス１０の操作入力にしたがって、振り分けモード抽出部４２により１つのモードが抽出される（ステップＳ１０１）。ここで、上述したように、オペレータは４つのモード（ａ）〜（ｄ）のなかからいずれか１つのモードを選択する。そして、スキャナ装置６によって、画像データの取り込みが行われる（ステップＳ１０２）。すると、スキャナ装置６から取り込まれた画像データが画像データ記憶部４７に記憶されると共に、その画像データに関する画像情報は画像情報記憶部４８に記憶される（ステップＳ１０３）。
【００６１】
すると、画像データ記憶部４７に記憶された画像データに対するプリント処理が行われる（ステップＳ１０４）。なお、本実施の形態では、画像データ記憶部４７に記憶された画像データの全てについてプリント処理が行われる。その後、プリント処理が行われた画像データが、インデックスプリント設定部４３に設定された所定数毎に２以上の組に振り分けられる（ステップＳ１０５）。そして、各組に振り分けられた所定数の画像データに対応したインデックス画像がペーパーに形成されることによって、インデックスプリントが作成される（ステップＳ１０６）。このとき、インデックスプリントには、所定数のインデックス画像が形成されると共に、第１識別画像設定部４５に設定された種類の識別画像が形成される。
【００６２】
次に、振り分けモード抽出部４２により抽出されたモードが振り分けモード（ａ）であるか否かが判断される（ステップＳ１０７）。ここで、振り分けモード（ａ）であると判断されると（Ｓ１０７：ＹＥＳ）、画像データ振り分け部４９によって、複数の画像データが各オーダー毎に振り分けられる（ステップＳ１０８）。
【００６３】
一方、振り分けモード（ａ）でないと判断された場合には（Ｓ１０７：ＮＯ）、振り分けモード抽出部４２により抽出されたモードがモード（ｂ）であるか否かが判断される（ステップＳ１０９）。ここで、モード（ｂ）であると判断されると（Ｓ１０９：ＹＥＳ）、画像データ振り分け部４９によって、複数の画像データが各作成日毎に振り分けられる（ステップＳ１１０）。
【００６４】
また、振り分けモード（ｂ）でないと判断された場合には（Ｓ１０９：ＮＯ）、振り分けモード抽出部４２により抽出されたモードが振り分けモード（ｃ）であるか否かが判断される（ステップＳ１１１）。ここで、振り分けモード（ｃ）であると判断されると（Ｓ１１１：ＹＥＳ）、画像データ振り分け部４９によって、複数の画像データが、各ＣＤ−Ｒに記録可能な範囲でより多くの画像データが順次記録されるように振り分けられる（ステップＳ１１２）。
【００６５】
また、振り分けモード（ｃ）でないと判断された場合には（Ｓ１１１：ＮＯ）、振り分けモード抽出部４２により抽出されたモードはモード（ｄ）であるので、画像データ振り分け部４９によって、複数の画像データが所定数毎に振り分けられる（ステップＳ１１３）。
【００６６】
その後、２以上の組に振り分けられた画像データが各組毎に複数のＣＤ−Ｒにそれぞれ書き込まれる（ステップＳ１１４）。そして、画像データ選択部５０によって、各ＣＤ−Ｒのレーベル面に印刷されるインデックス画像に対応した画像データが各ＣＤ−Ｒ毎に選択されて（ステップＳ１１５）、互いに異なる数字を含む識別画像及びそれらの画像データに対応したインデックス画像が、各ＣＤ−Ｒのレーベル面に印刷されて（ステップＳ１１６）、処理が終了する。
【００６７】
ここで、本実施の形態の写真処理装置において、識別画像が印刷されたＣＤ−Ｒのレーベル面及び識別画像が形成されたインデックスプリントの一例を、図７及び図８を参照して説明する。図７及び図８には、振り分けモード抽出部４２により抽出されたモードが振り分けモード（ｂ）である場合において、識別画像が印刷されたＣＤ−Ｒのレーベル面及び識別画像が形成されたインデックスプリントの一例が図示されている。
【００６８】
振り分けモード（ｂ）では、上述したように、複数の画像データが作成日毎に振り分けられるので、図５に示すファイル番号００１〜１２０の１２０個の画像データは、２００４年２月１日に作成されたファイル番号００１〜０４０の４０個の画像データと、２００４年３月１日に作成されたファイル番号０４１〜０８０の４０個の画像データと、２００４年３月１０日に作成されたファイル番号０８１〜１２０の４０個の画像データとの３組に振り分けられる。
【００６９】
従って、１２０個の画像データは、図７に示すように、３枚のＣＤ−Ｒ６１、６２、６３に振り分けられて記録される。つまり、ファイル番号００１〜０４０の４０個の画像データはＣＤ−Ｒ６１に記録されて、ファイル番号０４１〜０８０の４０個の画像データはＣＤ−Ｒ６２に記録されて、ファイル番号０８１〜１２０の４０個の画像データはＣＤ−Ｒ６３に記録される。
【００７０】
そして、ＣＤ−Ｒ６１の付加情報欄７１には、１２０個の画像データのなかの１組目に含まれる複数の画像データが記録されたことを示す「１」という数字を含む識別画像７１ａが印刷されている。これと同様に、ＣＤ−Ｒ６２の付加情報欄７２には、１２０個の画像データのなかの２組目に含まれる複数の画像データが記録されたことを示す「２」という数字を含む識別画像７２ａが印刷されており、ＣＤ−Ｒ６３の付加情報欄７３には、１２０個の画像データのなかの３組目に含まれる複数の画像データが記録されたことを示す「３」という数字を含む識別画像７３ａが印刷されている。
【００７１】
また、ＣＤ−Ｒ６１のレーベル面には、１２０個の画像データのなかの１組目に含まれる複数の画像データの最初の１０個のファイル番号００１〜０１０の画像データに対応したインデックス画像が印刷されている。これと同様に、ＣＤ−Ｒ６２のレーベル面には、１２０個の画像データのなかの２組目に含まれる複数の画像データの最初の１０個のファイル番号０４１〜０５０の画像データに対応したインデックス画像が印刷されており、ＣＤ−Ｒ６３のレーベル面には、１２０個の画像データのなかの３組目に含まれる複数の画像データの最初の１０個のファイル番号０８１〜０９０の画像データに対応したインデックス画像が印刷されている。なお、図７では、各インデックス画像が印刷される領域には、インデックス画像を図示する代わりに、そのインデックス画像に対応した画像データのファイル番号が図示されている。
【００７２】
一方、複数のインデックスプリントを作成するために、各ＣＤ−Ｒに記録される４０個の画像データは、ファイル番号の小さいものから２０個毎に振り分けられる。従って、ＣＤ−Ｒ６１〜６３にそれぞれ記録される４０個の画像データは、それぞれ２０個の画像データを含む２組に振り分けられる。つまり、ＣＤ−Ｒ６１に記録された４０個の画像データは、ファイル番号００１〜０２０の画像データと、ファイル番号０２１〜０４０の画像データとの２組に振り分けられる。これと同様に、ＣＤ−Ｒ６２に記録された４０個の画像データは、ファイル番号０４１〜０６０の画像データと、ファイル番号０６１〜０８０の画像データとの２組に振り分けられ、ＣＤ−Ｒ６３に記録された４０個の画像データは、ファイル番号０８１〜１００の画像データと、ファイル番号１０１〜１２０の画像データとの２組に振り分けられる。
【００７３】
１２０個の画像データに対応したインデックス画像は、図８に示すように、６枚のインデックスプリント８１〜８６に振り分けられて形成される。つまり、ファイル番号００１〜０２０の２０個の画像データ、ファイル番号０２１〜０４０の２０個の画像データ、ファイル番号０４１〜０６０の２０個の画像データ、ファイル番号０６１〜０８０の２０個の画像データ、ファイル番号０８１〜１００の２０個の画像データ、ファイル番号１０１〜１２０の２０個の画像データのそれぞれに対応したインデックス画像は、インデックスプリント８１〜８６にそれぞれ形成される。
【００７４】
そして、インデックスプリント８１の付加情報欄９１には、１２０個の画像データのなかの１組目に含まれる複数の画像データに対応したインデックス画像が形成されたことを示す「１」という数字を含む識別画像９１ａが形成されている。これと同様に、インデックスプリント８２〜８６の付加情報欄９２〜９６には、１２０個の画像データのなかの２組目〜６組目のそれぞれに含まれる複数の画像データに対応したインデックス画像が形成されたことを示す「２」、「３」、「４」、「５」、「６」という数字を含む識別画像９２ａ〜９６ａがそれぞれ形成されている。
【００７５】
以上説明したように、本実施の形態の写真処理装置では、複数の画像データが２以上の組に振り分けられて各ＣＤ−Ｒに１つの組に属する画像データだけが記録されると共に、各ＣＤ−Ｒのレーベル面には互いに異なる数字を含む識別画像が印刷される。従って、複数のＣＤ−Ｒのそれぞれを識別することができるので、各ＣＤ−Ｒに記録された画像データを容易に認識することができる。
【００７６】
また、各ＣＤ−Ｒのレーベル面には、そのＣＤ−Ｒに記録された複数の画像データのなかから選択された画像データに対応したインデックス画像がそれぞれ形成される。従って、各ＣＤ−Ｒに記録された画像データをさらに容易に認識することができる。
【００７７】
次に、本発明の第２の実施の形態について、図面を参照しつつ説明する。図９は、第２の実施の形態に係る写真処理装置の主要な制御ブロックを示す図である。
【００７８】
第２の実施の形態の写真処理装置が、第１の実施の形態の写真処理装置と主に異なる点は、制御装置１４０の第１識別画像設定部１４５及び第２識別画像設定部１４６における設定が、制御装置４０の第１識別画像設定部４５及び第２識別画像設定部４６における設定と異なる点である。なお、本実施の形態に係る写真処理装置のその他の構成は、図１の写真処理装置と同一であるので、同一符号を付して説明を省略する。
【００７９】
制御装置１４０は、振り分けモード記憶部４１と、振り分けモード抽出部４２と、インデックスプリント設定部４３と、選択基準記憶部４４と、第１識別画像設定部１４５と、第２識別画像設定部１４６と、画像データ記憶部４７と、画像情報記憶部４８と、画像データ振り分け部４９と、画像データ選択部５０と、プリント画像振り分け部５１と、画像作成部５２とを有している。
【００８０】
第１識別画像設定部１４５には、２以上の組に振り分けられた画像データに対応したインデックス画像が各組毎に形成された複数のインデックスプリントが作成される場合に、それらの複数のインデックスプリントに形成される画像の種類が設定されている。本実施の形態の写真処理装置では、第１識別画像設定部１４５には、各ＣＤ−Ｒに記録された複数の画像データに対応したインデックス画像が形成されるインデックスプリントには、そのＣＤ−Ｒのレーベル面に印刷される識別画像と同じ画像（同じ背景色を有する画像）が設定されている。
【００８１】
第２識別画像設定部１４６には、２以上の組に振り分けられた画像データが各組毎に複数のＣＤ−Ｒに記録される場合に、それらの複数のＣＤ−Ｒを識別するための識別画像の種類が設定されている。本実施の形態の写真処理装置では、第２識別画像設定部１４６には、互いに異なる背景色を有する画像が設定されている。
【００８２】
なお、互いに異なる背景色を有する画像とは、模様のない同一色の画像である。従って、例えば、互いに異なる背景色を有する画像が複数のＣＤ−Ｒのレーベル面に印刷されるということは、複数のＣＤ−Ｒのレーベル面が互いに異なる色によって区別されるということを意味している。
【００８３】
ここで、本実施の形態の写真処理装置において、識別画像が印刷されたＣＤ−Ｒのレーベル面及び識別画像が形成されたインデックスプリントの一例を、図１０及び図１１を参照して説明する。図１０及び図１１には、振り分けモード抽出部４２により抽出されたモードが振り分けモード（ｂ）である場合において、識別画像が印刷されたＣＤ−Ｒのレーベル面及び識別画像が形成されたインデックスプリントの一例が図示されている。
【００８４】
振り分けモード（ｂ）では、上述したように、複数の画像データが作成日毎に振り分けられるので、ファイル番号００１〜０４０の４０個の画像データはＣＤ−Ｒ１６１に記録されて、ファイル番号０４１〜０８０の４０個の画像データはＣＤ−Ｒ１６２に記録されて、ファイル番号０８１〜１２０の４０個の画像データはＣＤ−Ｒ１６３に記録される。
【００８５】
そして、ＣＤ−Ｒ１６１のレーベル面には、所定の第１色の背景色を有する画像が印刷される。これと同様に、ＣＤ−Ｒ１６２のレーベル面には、所定の第２の背景色を有する画像が印刷されて、ＣＤ−Ｒ１６３のレーベル面には、所定の第３色の背景色を有する画像が印刷される。つまり、ＣＤ−Ｒ１６１〜１６３のレーベル面は、第１色〜第３色がそれぞれ付される。
【００８６】
また、ＣＤ−Ｒ１６１〜１６３のレーベル面には、１２０個の画像データのなかの１組目に含まれる複数の画像データの最初の１０個のファイル番号００１〜０１０の画像データに対応したインデックス画像が印刷されている。これと同様に、ＣＤ−Ｒ１６２のレーベル面には、１２０個の画像データのなかの２組目に含まれる複数の画像データの最初の１０個のファイル番号０４１〜０５０の画像データに対応したインデックス画像が印刷されており、ＣＤ−Ｒ１６３のレーベル面には、１２０個の画像データのなかの３組目に含まれる複数の画像データの最初の１０個のファイル番号０８１〜０９０の画像データに対応したインデックス画像が印刷されている。なお、図１０では、各インデックス画像が印刷される領域には、インデックス画像を図示する代わりに、そのインデックス画像に対応した画像データのファイル番号が図示されている。
【００８７】
一方、複数のインデックスプリントを作成するために、各ＣＤ−Ｒに記録される４０個の画像データは、ファイル番号の小さいものから２０個毎に振り分けられる。従って、ＣＤ−Ｒ１６１〜１６３にそれぞれ記録される４０個の画像データは、それぞれ２０個の画像データを含む２組に振り分けられる。１２０個の画像データに対応したインデックス画像は、図１１に示すように、６枚のインデックスプリント１８１〜１８６に振り分けられて形成される。
【００８８】
そして、インデックスプリント１８１、１８２には、ＣＤ−Ｒ１６１に記録された複数の画像データに対応したインデックス画像が形成されたことを示すために、ＣＤ−Ｒ１６１のレーベル面に印刷された識別画像と同じ背景色を有する画像が形成されている。これと同様に、インデックスプリント１８３、１８は、ＣＤ−Ｒ１６１に記録された複数の画像データに対応したインデックス画像が形成されたことを示すために、ＣＤ−Ｒ１６１のレーベル面に印刷された識別画像と同じ背景色を有する画像が形成されており、インデックスプリント１８１、１８２は、ＣＤ−Ｒ１６１に記録された複数の画像データに対応したインデックス画像が形成されたことを示すために、ＣＤ−Ｒ１６１のレーベル面に印刷された識別画像と同じ背景色を有する画像が形成されている。
【００８９】
以上説明したように、本実施の形態の写真処理装置では、複数の画像データが２以上の組に振り分けられて各ＣＤ−Ｒに１つの組に属する画像データだけが記録されると共に、各ＣＤ−Ｒ上には互いに異なる背景色を有する識別画像が印刷される。さらに、各ＣＤ−Ｒに記録された複数の画像データが２以上の組に振り分けられて各インデックスプリントに１つの組に属する画像データに対応したインデックス画像だけが形成されると共に、各インデックスプリントには、その画像データが記録されたＣＤ−Ｒのレーベル面に印刷された識別画像と同じ背景色を有する画像が形成される。従って、複数のＣＤ−Ｒのそれぞれを識別することができると共に、各ＣＤ−Ｒに記録された画像データに対応したインデックスプリントを識別することができる。そのため、各ＣＤ−Ｒに記録された画像データを容易に認識することができる。
【００９０】
以上、本発明の好適な実施の形態について説明したが、本発明は上述の実施の形態に限られるものではなく、特許請求の範囲に記載した限りにおいて様々な設計変更が可能なものである。例えば、上述の第１及び第２の実施の形態では、振り分けモード記憶部４１には４つのモード（ａ）〜（ｄ）における４つの振り分け基準が記憶されているが、これには限られない。従って、振り分けモード記憶部４１が、２または３つのモードにおける２または３つの振り分け基準を記憶していてもよいし、５つ以上のモードにおける５つ以上の振り分け基準を記憶していてもよい。また、振り分けモード記憶部４１には１つのモードにおける１つ振り分け基準が記憶されており、画像データ振り分け部４９が、その１つのモードにおける振り分け基準に基づいて、画像データを振り分けてもよい。
【００９１】
また、上述の第１及び第２の実施の形態では、モード（ａ）〜（ｄ）における４つの振り分け基準に基づいて画像データが振り分けられているが、振り分け基準としては、これらの４種類に限られない。
【００９２】
また、上述の第１及び第２の実施の形態では、複数のＣＤ−Ｒのそれぞれを識別するための識別画像として、互いに異なる数字を含む識別画像または互いに異なる背景色を有する識別画像が各ＣＤ−Ｒに印刷されているが、識別画像の種類はこれらに限られない。従って、識別画像としては、互いに異なる数字以外の記号（例えば、アルファベット等）を含む識別画像であってもよいし、互いに異なる数字を含む識別画像及び互いに異なる背景色を有する識別画像の両方であってもよい。
【００９３】
また、上述の第１及び第２の実施の形態では、複数の画像データがＣＤ−Ｒに記録に記録された後で、ＣＤ−Ｒに記録のレーベル面に識別画像が印刷されているが、ＣＤ−Ｒのレーベル面に識別画像が印刷された後で、複数の画像データがＣＤ−Ｒに記録されてもよい。
【００９４】
また、上述の第１及び第２の実施の形態では、各ＣＤ−Ｒのレーベル面には、そのＣＤ−Ｒに記録された複数の画像データのなかから選択された画像データに対応したインデックス画像がそれぞれ形成されているが、各ＣＤ−Ｒのレーベル面にインデックス画像は印刷されなくてもよい。
【００９５】
また、上述の実施の形態では、振り分けモード抽出部４２は、オペレータによってキーボード９またはマウス１０が操作されることによって入力される命令にしたがってモードを抽出しているが、これには限られない。従って、振り分けモード抽出部４２は、オペレータからの命令を受けることなく、自動的にモードを抽出する構成であってもよい。
【００９６】
また、上述の実施の形態では、インデックス画像がＣＤ−Ｒのレーベル面に印刷されているが、記録媒体としては、ＣＤ−Ｒに限定されるものではなく、ＤＶＤやフロッピー(登録商標）ディスク等の記録媒体であってもよい。また、上述の実施の形態では、プリンタプロセッサ（写真処理装置）においてインデックス画像が写真感光材料であるペーパーに形成されているが、画像形成媒体としては、インクジェットプリンタにおいてインデックス画像が形成される用紙等の画像形成媒体であってもよい。
【図面の簡単な説明】
【００９７】
【図１】本発明の第１の実施の形態に係る写真処理装置の外観を示す斜視図である。
【図２】図１に示すＣＤ−Ｒ書き込み装置の構成を示す斜視図である。
【図３】図１に示すプリンタプロセッサの内部構成を模式的に示す図である。
【図４】図１に示す写真処理装置の主要な制御ブロックを示す図である。
【図５】図１の写真処理装置によって読み取られた画像データに対応する画像情報の一覧である。
【図６】図１に示す写真処理装置におけるプリント処理の手順を示すフローチャートである。
【図７】識別画像が印刷されたＣＤ−Ｒのレーベル面の一例を示す図である。
【図８】識別画像が印刷されたインデックスプリントの一例を示す図である。
【図９】第２の実施の形態に係る写真処理装置の主要な制御ブロックを示す図である。
【図１０】識別画像が印刷されたＣＤ−Ｒのレーベル面の一例を示す図である。
【図１１】識別画像が印刷されたインデックスプリントの一例を示す図である。
【符号の説明】
【００９８】
１  プリンタプロセッサ
２  ＣＤ−Ｒ書き込み装置（画像記録装置）
２１  印刷部（識別画像形成手段；第１の識別画像形成手段；第２のインデックス画像形成手段）
２２  書き込み部（データ記録手段）
３２  露光エンジン（第２の識別画像形成手段；第１のインデックス画像形成手段）
４０、１４０  制御装置
４１  振り分けモード記憶部（振り分け基準記憶手段；第１の振り分け基準記憶手段）
４２  振り分けモード抽出部
４３  インデックスプリント設定部（第２の振り分け基準記憶手段）
４４  選択基準記憶部（選択基準記憶手段）
４５、１４５  第１識別画像設定部
４６、１４６  第２識別画像設定部
４７  画像データ記憶部
４８  画像情報記憶部
４８ａ  作成日記憶部
４９  画像データ振り分け部（振り分け手段；第１の振り分け手段）
５０  画像データ選択部（画像データ選択手段）
５１  プリント画像振り分け部（第２の振り分け手段）
５２  画像作成部
【図１】
2005327416.tif 000003
【図２】
2005327416.tif 000004
【図３】
2005327416.tif 000005
【図４】
2005327416.tif 000006
【図５】
2005327416.tif 000007
【図６】
2005327416.tif 000008
【図７】
2005327416.tif 000009
【図８】
2005327416.tif 000010
【図９】
2005327416.tif 000011
【図１０】
2005327416.tif 000012
【図１１】
2005327416.tif 000013